(57)【要約】【課題】画像形成ユニット内からの浮遊物の飛散を防止し、また露光装置の汚染を防止する。【解決手段】静電潜像を担持する静電潜像担持体を露光する露光部材を通す開口部が形成された壁面部と、前記静電潜像担持体に現像剤を供給する現像剤担持体と、前記壁面部に配置され、前記開口部を遮蔽する遮蔽部材とを備え、前記遮蔽部材は、前記開口部を通る露光部材に押圧されて湾曲し、前記露光部材と前記現像剤担持体との間を遮蔽する。【選択図】        図２
2012027253.tif 000002
【特許請求の範囲】
【請求項１】
静電潜像を担持する静電潜像担持体を露光する露光部材を通す開口部が形成された壁面部と、
前記静電潜像担持体に現像剤を供給する現像剤担持体と、
前記壁面部に配置され、前記開口部を遮蔽する遮蔽部材とを備え、
前記遮蔽部材は、前記開口部を通る露光部材に押圧されて湾曲し、前記露光部材と前記現像剤担持体との間を遮蔽することを特徴とする画像形成ユニット。
【請求項２】
請求項１の画像形成ユニットにおいて、
前記壁面部に、前記現像剤担持体と接触する現像剤層規制部材を備え、
前記現像剤担持体は、前記静電潜像担持体と接触し、
前記露光部材に押圧されて湾曲した遮蔽部材の先端部は、前記静電潜像担持体の近傍に配置され、
前記壁面部と、前記現像剤層規制部材と、前記現像剤担持体と、前記静電潜像担持体と、前記湾曲した遮蔽部材とにより閉塞空間を形成することを特徴とする画像形成ユニット。
【請求項３】
請求項２の画像形成ユニットにおいて、
前記遮蔽部材の固定端は、前記開口部と前記現像剤層規制部材との間に配置されていることを特徴とする画像形成ユニット。
【請求項４】
請求項１から請求項３のいずれか１項の画像形成ユニットにおいて、
前記開口部を挟んで前記遮蔽部材の固定端と対向して前記壁面部に固定端が配置され、前記開口部を開閉する補助開閉部材を備え、
前記補助開閉部材の固定端から自由端までの長さが、前記遮蔽部材の固定端から自由端までの長さより短く形成されていることを特徴とする画像形成ユニット。
【請求項５】
画像形成装置に着脱可能な画像形成ユニットにおいて、
静電潜像を担持する静電潜像担持体を露光する露光部材からの光を通す開口部が形成された壁面部と、
前記静電潜像担持体に現像剤を供給する現像剤担持体と、
前記壁面部に回動可能に配置され、前記開口部を遮蔽する遮蔽部および画像形成装置に設けられた係合部と係合する突起部が形成された開閉部材とを備え、
前記画像形成装置に装着されるとき、前記開閉部材は、前記突起部が前記係合部と係合して回動し、前記遮蔽部が、前記開口部を開放するとともに、前記開口部と前記現像剤担持体との間を遮蔽することを特徴とする画像形成ユニット。
【請求項６】
請求項５の画像形成ユニットにおいて、
前記壁面部に、前記現像剤担持体と接触する現像剤層規制部材を備え、
前記現像剤担持体は、前記静電潜像担持体と接触し、
前記突起部が前記係合部と係合して回動した開閉部材の遮蔽部の先端部は、前記静電潜像担持体の近傍に配置され、
前記壁面部と、前記現像剤層規制部材と、前記現像剤担持体と、前記静電潜像担持体と、前記回動した開閉部材の遮蔽部とにより閉塞空間を形成することを特徴とする画像形成ユニット。
【請求項７】
請求項６の画像形成ユニットにおいて、
前記開閉部材の回転支点は、前記遮蔽部と前記突起部との間に設けられ、前記開口部と前記現像剤層規制部材との間に配置され、
前記開閉部材は、前記遮蔽部が前記開口部を遮蔽する方向へ付勢されていることを特徴とする画像形成ユニット。
【請求項８】
請求項３または請求項７の画像形成ユニットにおいて、
前記静電潜像担持体を回転体とし、
前記開口部は、前記静電潜像担持体の回転方向における前記現像剤担持体の上流側で前記静電潜像担持体と対向して配置されていることを特徴とする画像形成ユニット。
【請求項９】
請求項１から請求項８のいずれか１項の画像形成ユニットを有することを特徴とする画像形成装置。
【発明の詳細な説明】
【技術分野】
【０００１】
本発明は、画像を形成する画像形成ユニットおよびその画像形成ユニットを備えたプリンタ、複写機、ファクシミリ等の画像形成装置に関する。
【背景技術】
【０００２】
従来の画像形成装置は、ＬＥＤ（Ｌｉｇｈｔ  Ｅｍｉｔｔｉｎｇ  Ｄｉｏｄｅ）等の発光素子およびレンズアレイを備えたＬＥＤヘッド等の露光装置から画像形成ユニットの感光体ドラムの表面に光を照射して感光体ドラムの表面に静電潜像を形成し、さらにその静電潜像にトナーを付着させてトナー像を現像するようにしており、その画像形成ユニットには露光装置の先端部を挿入するための開口部が形成され、アッパカバの開閉に伴って露光装置の先端部がその開口部に挿入されて感光体ドラムと対向するようになっている（例えば、特許文献１参照）。
【先行技術文献】
【特許文献】
【０００３】
【特許文献１】特開２０１０−８８１０号公報（段落「００１３」〜段落「００２６」、図１）
【発明の概要】
【発明が解決しようとする課題】
【０００４】
しかしながら、上述した従来の技術においては、画像形成ユニット内に浮遊するトナーや埃等の浮遊物が、開口部と露光装置との隙間から画像形成装置内に飛散してしまうという問題があり、またその浮遊物が挿入された露光装置の先端部に付着することにより露光装置が汚染されるという問題がある。
【０００５】
本発明は、このような問題を解決することを課題とし、画像形成ユニット内からの浮遊物の飛散の防止し、また露光装置の汚染を防止することを目的とする。
【課題を解決するための手段】
【０００６】
そのため、本発明による画像形成ユニットは、静電潜像を担持する静電潜像担持体を露光する露光部材を通す開口部が形成された壁面部と、前記静電潜像担持体に現像剤を供給する現像剤担持体と、前記壁面部に配置され、前記開口部を遮蔽する遮蔽部材とを備え、前記遮蔽部材は、前記開口部を通る露光部材に押圧されて湾曲し、前記露光部材と前記現像剤担持体との間を遮蔽することを特徴とする。
【発明の効果】
【０００７】
このようにした本発明は、画像形成ユニット内からの浮遊物の飛散を防止し、また露光装置の汚染を防止することができるという効果が得られる。
【図面の簡単な説明】
【０００８】
【図１】第１の実施例における画像形成ユニットの開口部近傍の構成を示す概略断面説明図
【図２】第１の実施例におけるＬＥＤヘッド挿入状態を示す画像形成ユニットの開口部近傍の概略断面説明図
【図３】第１の実施例における画像形成装置の構成を示す概略断面図
【図４】第１の実施例における画像形成ユニットの構成を示す概略断面図
【図５】第２の実施例における画像形成ユニットの開口部近傍の構成を示す概略断面説明図
【図６】第２の実施例におけるＬＥＤヘッド挿入状態を示す画像形成ユニットの開口部近傍の概略断面説明図
【図７】第３の実施例における画像形成ユニットの開口部近傍の構成を示す概略断面説明図
【図８】第３の実施例における遮蔽部材の構成を示す斜視図
【図９】第３の実施例における画像形成ユニット装着時の状態を示す開口部近傍の概略断面説明図
【図１０】第３の実施例における画像形成ユニット装着時の開閉部材を示す斜視図
【発明を実施するための形態】
【０００９】
以下、図面を参照して本発明による画像形成ユニットおよび画像形成装置の実施例を説明する。
【実施例１】
【００１０】
本実施例の画像形成装置としてのプリンタを図３の第１の実施例におけるプリンタの構成を示す概略断面図に基づいて説明する。
図３において、プリンタ１００は、色材としての顔料を含む樹脂からなるトナーにより、画像データをもとに印刷媒体上に画像を形成する。
【００１１】
プリンタ１００には、印刷媒体としての用紙１１を貯留する給紙カセット１２が装着され、用紙１１を給紙カセット１２から取り出す給紙ローラを備え、用紙１１を給紙して搬送する搬送ローラ１３が配置される。
【００１２】
本発明におけるプリンタ１００は、例えばカラー電子写真方式のプリンタであり、プリンタ１００内にはブラック、イエロー、マゼンタ、シアンの各色の画像を形成する画像形成ユニット１０が用紙１１の搬送路に沿って並べて配置されている。それぞれの画像形成ユニット１０は、内部に収容した現像剤としてのトナーにより感光体ドラムにトナー画像を現像する装置であり、プリンタ１００に着脱可能に構成されている。なお、プリンタ１００は、モノクロ電子写真方式のプリンタであっても良い。
【００１３】
露光部材（露光装置）としてのＬＥＤヘッド１７は、画像形成ユニット１０の後述する感光体ドラムの表面と対向するように配置され、ＬＥＤヘッド１７は帯電ローラで帯電された感光体ドラムの表面に画像データをもとに選択的に光を照射して静電潜像を形成する。
【００１４】
転写装置としての転写ベルトユニット１４は、担持した用紙１１に感光体ドラムに現像されたトナー画像を転写し、そのトナー画像は定着装置としての定着ユニット１５により熱および圧力で用紙１１に定着される。
トナー画像が定着された用紙１１は排出ローラ１６により装置外へ搬出され、印刷動作が完了する。
【００１５】
プリンタ１００は、外部装置から印刷データを受信する外部インターフェースを有し、その外部インターフェースで受信した印刷データをもとに印刷媒体上に画像を形成する。
このように構成されたプリンタ１００は、制御プログラムをメモリ等の記憶部に記憶し、その制御プログラムに基づいて全体を制御する制御手段および演算手段としての制御部を備えている。
【００１６】
図４は第１の実施例における画像形成ユニットの構成を示す概略断面図である。
図４において、画像形成ユニット１０は、静電潜像を担持する静電潜像担持体としての感光体ドラム２と、図中時計方向に回転する感光体ドラム２の表面全体を一様に帯電させる帯電部材としての帯電ローラ３と、感光体ドラム２の周面と接触するように配置され、感光体ドラム２を露光する露光部材としてのＬＥＤヘッドから照射された光により感光体ドラム２上に形成された静電潜像に現像剤としてのトナーを供給して現像する現像剤担持体としての現像ローラ４と、現像ローラ４にトナーを供給する供給部材としての供給ローラ５と、現像ローラ４の周面と接触し現像ローラ４上に供給されたトナーを薄層化するトナー層規制部材（現像剤層規制部材）としての現像ブレード６と、供給ローラ５へ供給するトナーを貯蔵するトナー貯蔵室７と、転写後に感光体ドラム２の表面に残った転写残トナーを除去するトナー除去部材としてのクリーニングブレード８と、これらを包含する壁面部９とにより構成されている。
【００１７】
図１は第１の実施例における画像形成ユニットの開口部近傍の構成を示す概略断面説明図である。
図１において、３１は上面壁であり、感光体ドラム２および現像ローラ４の上方に設けられ、感光体ドラム２の上方に露光部材としてのＬＥＤヘッドの先端部を通す開口部３１ａが形成された図４に示す壁面部９の一部である。この開口部３１ａは、図中時計方向に回転する感光体ドラム２の当該回転方向における現像ローラ４より上流側に、感光体ドラム２と対向して上面壁３１に形成されている。
【００１８】
５１は開口部３１ａを閉塞させる遮蔽部材としての第１のフィルムであり、上面壁３１に形成された開口部３１ａの現像ローラ４側に、すなわち開口部３１ａと現像ブレード６との間の上面壁３１に、その一端が固定端５１ａで支持、配置され、他端を自由端とする弾性を有する部材である。
【００１９】
この第１のフィルム５１は、開口部３１ａの現像ローラ４側の端部に固定端５１ａが配置され、その固定端５１ａが配置された開口部３１ａの反対側の端部に自由端が接触するように配置されている（第１の位置）。したがって、第１のフィルム５１は、その弾性により固定端５１ａを中心に開口部３１ａを閉塞する方向へ付勢されている。
【００２０】
このように開口部３１ａにＬＥＤヘッドの先端部が挿入されていないとき、第１のフィルム５１は、その開口部３１ａの全体を閉塞するようになっている。なお、第１のフィルム５１は、光を遮断する遮光部材で構成するようにしても良い。
【００２１】
図２は第１の実施例におけるＬＥＤヘッド挿入状態を示す画像形成ユニットの開口部近傍の概略断面説明図である。
図２において、２２はアッパカバであり、プリンタ１００の奥部（図３における左側）の回転支点に回動可能に支持された開閉部材である。このアッパカバ２２は、画像形成ユニット１０をプリンタ１００との間で着脱するときに開放するものであり、ＬＥＤヘッド１７を装着している。
【００２２】
図２はアッパカバ２２を閉塞した状態を示しており、この状態ではＬＥＤヘッド１７の先端部は開口部３１ａに挿入され、感光体ドラム２と対向するようになっている。また、ＬＥＤヘッド１７の先端部が開口部３１ａに挿入されると、第１のフィルム５１はＬＥＤヘッド１７の先端部に押圧されて固定端５１ａを中心として湾曲し、その自由端は感光体ドラム２の表面近傍まで移動してＬＥＤヘッド１７と現像ローラ４との間を遮蔽する（第２の位置）。ここで、感光体ドラム２の表面近傍とは、第１のフィルム５１の自由端の先端部が、感光体ドラム２の表面から所定の距離を保持した位置であり、感光体ドラム２の表面に接触しないが、感光体ドラム２の表面に最も接近する位置である（以下の実施例において同様）。
【００２３】
第１のフィルム５１の自由端が感光体ドラム２の表面近傍まで移動すると、感光体ドラム２と、感光体ドラム２に接触する現像ローラ４と、現像ローラ４に接触する現像ブレード６と、現像ブレード６が取り付けられた上壁面３１と、現像ブレード６と開口部３１ａとの間の上面壁３１に固定端５１ａが設けられた第１のフィルム５１とによって囲まれた閉塞空間としての第１の領域３２が形成される。
なお、自由端が感光体ドラム２の表面近傍まで移動した第１のフィルム５１は、第１の領域３２内のトナーや埃等の浮遊物が外部に漏れ出すことを防止することができる。
【００２４】
本実施例では、図中時計方向に回転する回転体としての感光体ドラム２の下流側で感光体ドラム２の周面に現像ローラ４の周面が接触し、また現像ローラ４の上方の上面壁３１に現像ブレード６が取り付けられ、その現像ブレード６の先端が現像ローラ４の周面に接触するように配置されており、感光体ドラム２の上方の上面壁３１に形成された開口部３１ａから挿入されたＬＥＤヘッド１７により押圧されて湾曲した第１のフィルム５１の自由端が感光体ドラム２の表面近傍まで移動することにより、上面壁３１と、第１のフィルム５１と、感光体ドラム２と、現像ローラ４と、現像ブレード６とによって第１の領域３２が形成される。
【００２５】
このようにＬＥＤヘッド１７の先端部が開口部３１ａに挿入された状態においては、遮蔽部材としての第１のフィルム５１は、閉塞空間としての第１の領域３２を形成する。
【００２６】
なお、図１および図２において、感光体ドラム２、現像ローラ４、現像ブレード６、ＬＥＤヘッド１７、上壁面３１、および第１のフィルム５１は、画像が形成される用紙の搬送方向と直交する幅方向に延在する長尺状の部材であり、開口部３１ａも用紙の搬送方向と直交する幅方向に延在するように長方形状に形成されている。
また、第１の領域３２の長手方向の両端部における両側面は、図示しない壁面部で形成されているものとする。
【００２７】
上述した構成の作用について図１および図２に基づいて説明する。
図１はアッパカバ２２が開放されたときの状態を示しており、このとき第１のフィルム５１は、開口部３１ａを閉塞する方向に付勢されているため、上壁面３１の開口部３１ａを遮蔽する。
【００２８】
図２は画像形成ユニット１０をプリンタ１００に装着し、アッパカバ２２が閉塞されている状態を示しており、このときＬＥＤヘッド１７の先端部は上壁面３１の開口部３１ａに挿入され、感光体ドラム２の表面と対向するように配置される。
【００２９】
ＬＥＤヘッド１７の開口部３１ａへの挿入に伴い、そのＬＥＤヘッド１７に押圧された第１のフィルム５１は固定端５１ａを中心に湾曲して退避し、その自由端は感光体ドラム２の表面近傍に配置される。
【００３０】
画像形成ユニット１０に振動や衝撃が加わった際に、トナー貯蔵室７のトナーが画像形成ユニット１０を構成する各部材の隙間等から第１の領域３２へ漏れ出して浮遊するが、このとき、第１のフィルム５１は第１の領域３２を遮蔽しているため、第１の領域３２に漏れ出たトナーがＬＥＤヘッド１７に付着することを防止し、また上壁面３１の開口部３１ａからトナーが飛散することを防止し、ＬＥＤヘッド１７およびプリンタ内部のトナーによる汚染を防止する。
【００３１】
また、第１の領域３２に浮遊する埃等がＬＥＤヘッド１７に付着することを防止し、また上壁面３１の開口部３１ａから埃等が飛散することを防止し、ＬＥＤヘッド１７およびプリンタ内部の埃等による汚染を防止する。
【００３２】
以上説明したように、第１の実施例では、画像形成ユニットに形成された開口部から挿入されたＬＥＤヘッドと現像ローラとの間を遮蔽するフィルムを設けたことにより、トナーがＬＥＤヘッドに付着することを防止し、また開口部からのトナーの飛散を防止し、ＬＥＤヘッドおよびプリンタ内部のトナー汚染を防止することができるという効果が得られる。
【００３３】
さらに、埃等がＬＥＤヘッドに付着することを防止し、また開口部からの埃等の飛散を防止し、ＬＥＤヘッドおよびプリンタ内部の埃等による汚染を防止することができるという効果が得られる。
また、アッパカバの開放時は画像形成ユニットの開口部をフィルムで閉塞するようにしたことにより、感光体ドラムの光暴露を防止することができるという効果が得られる。
【実施例２】
【００３４】
図５は第２の実施例における画像形成ユニットの開口部近傍の構成を示す概略断面説明図であり、図６は第２の実施例におけるＬＥＤヘッド挿入状態を示す画像形成ユニットの開口部近傍の概略断面説明図である。なお、上述した第１の実施例と同様の部分は、同一の符号を付してその説明を省略する。
【００３５】
図５において、５２は補助開閉部材としての第２のフィルムであり、上面壁３１に形成された開口部３１ａの現像ローラ４に対して反対側に配置された固定端５２ａで支持され、他端を自由端とする弾性を有する部材、つまり固定端５２ａが開口部３１ａを挟んで第１のフィルム５１の固定端５１ａと対向して配置され、開口部３１ａを開閉する補助開閉部材である。
【００３６】
また、第２のフィルム５２の固定端５２ａから自由端までの長さは、第１のフィルム５１の固定端５１ａから自由端までの長さより短く形成され、開口部３１ａを遮蔽するとき、第２のフィルム５２は、その自由端が第１のフィルム５１の自由端と重なるように配置されている。
【００３７】
なお、第２のフィルム５２は、第１のフィルム５１と同様に、その弾性により固定端５２ａを中心に開口部３１ａを閉塞する方向へ付勢されている。また、第２のフィルム５２は、光を遮断する遮光部材で構成するようにしても良い。
【００３８】
図６はアッパカバ２２を閉塞した状態を示しており、この状態ではＬＥＤヘッド１７の先端部は開口部３１ａに挿入され、感光体ドラム２と対向するようになっている。また、ＬＥＤヘッド１７の先端部が開口部３１ａに挿入されると、まず、第２のフィルム５２はＬＥＤヘッド１７の先端部に押圧されて固定端５２ａを中心として湾曲し、その後、第１のフィルム５１はＬＥＤヘッド１７の先端部に押圧されて固定端５１ａを中心として湾曲し、その自由端は感光体ドラム２の表面近傍まで移動してＬＥＤヘッド１７と現像ローラ４との間を遮蔽する。
【００３９】
上述した構成の作用について図５および図６に基づいて説明する。
図５はアッパカバ２２が開放されたときの状態を示しており、このとき第１のフィルム５１および第２のフィルム５２は、開口部３１ａを閉塞する方向に付勢されているため、上壁面３１の開口部３１ａを遮蔽する（第１の位置）。
【００４０】
このとき、第２のフィルム５２は、第１のフィルム５１より短いため、開口部３１ａを開放した状態から遮蔽する状態に回帰したとき、常に第２のフィルム５２の自由端部は、第１のフィルム５１の自由端部の上方に重なり、第１のフィルム５１の自由端部付近に付着したトナーにより第２のフィルム５２の表面側５２ｂが汚染されることを防止する。したがって、第１のフィルム５１の自由端部付近に付着したトナーをプリンタ１００内に飛散することを防止することができ、また第２のフィルム５２に接触するＬＥＤヘッド１７の先端部のトナーによる汚染を防止することができる。
【００４１】
図６は画像形成ユニット１０をプリンタ１００に装着し、アッパカバ２２が閉塞されている状態を示しており、このときＬＥＤヘッド１７の先端部は上壁面３１の開口部３１ａに挿入され、感光体ドラム２の表面と対向するように配置される。
【００４２】
ＬＥＤヘッド１７の挿入に伴い、まず第２のフィルム５２はＬＥＤヘッド１７に押圧されて固定端５２ａを中心に湾曲して退避し、その後、第１のフィルム５１はＬＥＤヘッド１７に押圧されて固定端５１ａを中心に湾曲して退避する（第２の位置）。このように、第２のフィルム５２および第１のフィルム５１は固定端５２ａおよび固定端５１ａを中心に湾曲して退避し、第１のフィルム５１の自由端は感光体ドラム２の表面近傍に配置される。
【００４３】
画像形成ユニット１０に振動や衝撃が加わった際に、トナー貯蔵室７のトナーが画像形成ユニット１０を構成する各部材の隙間等から第１の領域３２へ漏れ出し浮遊するが、このとき、第１のフィルム５１は第１の領域３２を遮蔽しているため、第１の領域３２に漏れ出たトナーがＬＥＤヘッド１７に付着することを防止し、また上壁面３１の開口部３１ａからトナーが飛散することを防止し、ＬＥＤヘッド１７およびプリンタ内部のトナーによる汚染を防止する。
【００４４】
また、第１の領域３２に浮遊する埃等がＬＥＤヘッド１７に付着することを防止し、また上壁面３１の開口部３１ａから埃等が飛散することを防止し、ＬＥＤヘッド１７およびプリンタ内部の埃等による汚染を防止する。
【００４５】
以上説明したように、第２の実施例では、第２のフィルムを設けることにより、第１の実施例の効果に加え、より確実にＬＥＤヘッドのトナーによる汚染を防止することができるという効果が得られる。
また、画像形成ユニットの開口部の遮蔽がより確実なものとなり、感光体ドラムの光暴露をより確実に防止することができるという効果が得られる。
【実施例３】
【００４６】
図７は第３の実施例における画像形成ユニットの開口部近傍の構成を示す概略断面説明図、図８は第３の実施例における遮蔽部材の構成を示す斜視図である。なお、上述した第１の実施例と同様の部分は、同一の符号を付してその説明を省略する。
【００４７】
図７および図８において、６１は開口部３１ａを遮蔽する遮蔽部としての第３のフィルムであり、一端が回転軸としての軸部材６２で回転可能に支持され、他端を自由端とする部材である。また、６３はプレートであり、一端が回転軸としての軸部材６２で回転可能に支持され、他端を自由端とする部材である。この第３のフィルム６１とプレート６３とは、軸部材６２を挟んで略直線状に配置されている。
【００４８】
軸部材６２は、上面壁３１に形成された開口部３１ａの現像ローラ４側に接合され、第３のフィルム６１とプレート６３とを回動させるための部材である。
第１の突起部６４は、プレート６３の一端が支持されている軸部材６２の反対側のプレート６３の自由端側に設けられ、図８に示すようにプレート６３の長手方向に延在する突起である。
【００４９】
このように構成された開閉部材としての第３のフィルム６１およびプレート６３は、上面壁３１に回動可能に配置され、プレート６３の重みにより、図中矢印８１が示す開口部３１ａを閉塞する方向へ付勢され、第３のフィルム６１で開口部３１ａを遮蔽する。なお、第３のフィルム６１は、光を遮断する遮光部材で構成するようにしても良い。
【００５０】
図９は第３の実施例における画像形成ユニット装着時の状態を示す開口部近傍の概略断面説明図、図１０は第３の実施例における画像形成ユニット装着時の開閉部材を示す斜視図である。
【００５１】
図９および図１０において、第２の突起部７１は、プリンタ１００の筐体内部に設けられたものであり、画像形成ユニット１０をプリンタ１００に装着したときに、第１の突起部６４と係合し、その第１の突起部６４を図中矢印８３が示す方向へ相対的に移動させることにより、プレート６３および第３のフィルム６１を、軸部材６２を回転支点として図中矢印８２が示す方向へ回動させる手段である。
【００５２】
図９に示すように、画像形成ユニット１０がプリンタ１００に装着されたとき、第１の突起部６４は第２の突起部７１と係合し、プレート６３および第３のフィルム６１は、軸部材６２を回転支点として図中矢印８２が示す方向へ回動し、第３のフィルム６１の先端部は感光体ドラム２の表面近傍まで移動して開口部３１ａを開放するとともにその開口部３１ａと現像ローラ４との間を遮蔽する。
【００５３】
このように回転移動した第３のフィルム６１の先端部が感光体ドラム２の表面近傍まで移動すると、感光体ドラム２と、感光体ドラム２に接触する現像ローラ４と、現像ローラ４に接触する現像ブレード６と、現像ブレード６が取り付けられた上壁面３１と、現像ブレード６と開口部３１ａとの間の上面壁３１に回転支点が設けられた第３のフィルム６１とによって囲まれた閉塞空間としての第２の領域６５が形成される。
【００５４】
レーザヘッド９１は、感光体ドラム２にレーザ光を照射する露光装置であり、開口部３１ａはそのレーザ光を通過させる。
なお、本実施例では、プリンタ１００はレーザヘッド９１を備えたレーザプリンタとして説明するが、それに限られることなく、第１の実施例および第２の実施例と同様に、ＬＥＤヘッドを備えたＬＥＤプリンタであってもよい。
【００５５】
上述した構成の作用について図７から図１０に基づいて説明する。
図７は、画像形成ユニットをプリンタに装着していない状態を示している。図７に示すように、第３のフィルム６１は、プレート６３の重みにより図中矢印８１が示す方向へ付勢され、上面壁３１の開口部３１ａを遮蔽する位置へ移動する。
【００５６】
図９は、図３に示す画像形成ユニット１０をプリンタ１００に装着した状態を示している。図９に示すように、画像形成ユニット１０をプリンタ１００に装着すると、第１の突起部６４は第２の突起部７１と係合し、図中矢印８３が示す方向へ移動する。それに伴い、第３のフィルム６１およびプレート６３は軸部材６２を回転支点として図中矢印８２が示す方向へ回転して退避し、第３のフィルム６１の自由端は感光体ドラム２の表面近傍に配置されるとともに開口部３１ａを開放する。
【００５７】
画像形成ユニット１０に振動や衝撃が加わった際に、トナー貯蔵室７のトナーが画像形成ユニット１０を構成する各部材の隙間等から第２の領域６５へ漏れ出して浮遊するが、このとき、第３のフィルム６１は第２の領域６５を遮蔽しているため、第２の領域６５に漏れ出たトナーがＬＥＤヘッド１７に付着することを防止し、また上壁面３１の開口部３１ａからトナーが飛散することを防止し、ＬＥＤヘッド１７およびプリンタ内部のトナーによる汚染を防止する。
【００５８】
また、第２の領域６５に浮遊する埃等がＬＥＤヘッド１７に付着することを防止し、また上壁面３１の開口部３１ａから埃等が飛散することを防止し、ＬＥＤヘッド１７およびプリンタ内部の埃等による汚染を防止する。
【００５９】
以上説明したように、第３の実施例では、画像形成ユニットをプリンタに装着することで画像形成ユニットに形成された開口部と現像ローラとの間を遮蔽するフィルムを設けたことにより、その開口部からのトナーの飛散を防止し、露光装置のトナー汚染を防止することができるという効果が得られる。
【００６０】
また、画像形成ユニットをプリンタに装着していないときは画像形成ユニットの開口部をフィルムで閉塞するようにしたことにより、感光体ドラムの光暴露を防止することができるという効果が得られる。
さらに、露光装置をレーザヘッドとしたプリンタにおいても上記の効果が得られる。
【００６１】
なお、第１の実施例から第３の実施例では、画像形成装置をプリンタとして説明したが、それに限られることなく、画像形成装置を複写機、ファクシミリ装置、これらを複合させた複合機としても良い。
【符号の説明】
【００６２】
２    感光体ドラム
３    帯電ローラ
４    現像ローラ
５    供給ローラ
６    現像ブレード
７    トナー貯蔵室
８    クリーニングブレード
９    壁面部
１０  画像形成ユニット
１１  用紙
１２  給紙カセット
１３  搬送ローラ
１４  転写ベルトユニット
１５  定着ユニット
１６  排出ローラ
１７  ＬＥＤヘッド
２２  アッパカバ
３１  上面壁
３１ａ  開口部
５１  第１のフィルム
５２  第２のフィルム
６１  第３のフィルム
６２  軸部材
６３  プレート
６４  第１の突起部
７１  第２の突起部
９１  レーザヘッド
１００  プリンタ
【図１】
2012027253.tif 000003
【図２】
2012027253.tif 000004
【図３】
2012027253.tif 000005
【図４】
2012027253.tif 000006
【図５】
2012027253.tif 000007
【図６】
2012027253.tif 000008
【図７】
2012027253.tif 000009
【図８】
2012027253.tif 000010
【図９】
2012027253.tif 000011
【図１０】
2012027253.tif 000012